(57)【要約】【課題】浸潤噴射時に同時に気中にも噴射し得る浸潤用噴射ボタンを提供する。【解決手段】エアゾール容器１の頭部に突設されたバルブステム３に基端部で嵌着する流路部１１が内部に形成され、また周面部には芳香剤又は消臭剤等の吸蔵体２７に内容液を浸潤させる浸潤用噴射口２３を備え、押下げ操作されると、吸蔵体２７に内容液が浸潤用噴射口２３から噴射される。この噴射口の上側に、共通の流路から分岐し、かつ気中に噴射するための噴霧用噴射口２４を備えている。【選択図】　　　　　図１
2004016833.tif 000002
【特許請求の範囲】
【請求項１】
容器の頭部に突設された吐出パイプに基端部で嵌着する流路部が内部に形成され、また周面部には浸潤対象物に内容液を浸潤させる噴射口を備え、押下げ操作されると、浸潤対象物に内容液が噴射口から噴射されるようになった浸潤用噴射ボタンにおいて、
浸潤用噴射口の上側に、この浸潤用噴射口に連通する流路から分岐した流路に連通し、かつ気中に噴射する噴霧用噴射口を備えたことを特徴とする浸潤用噴射ボタン。
【請求項２】
噴射ボタンが、浸潤用噴射口及び噴霧用噴射口を備えたボタン部と、このボタン部をカバーするように、容器頭部に装着され、かつ前記ボタン部をヒンジ部を介して連結させるカバーキャップとより構成され、
このカバーキャップに、内容液を浸潤状態で貯える吸蔵片を前記浸潤用噴射口に対面させた状態で収納する収納部が形成されていることを特徴とする請求項１記載の浸潤用噴射ボタン。
【請求項３】
浸潤用噴射口に、浸潤対象物に刺針される針が突設されていることを特徴とする請求項１記載の浸潤用噴射ボタン。
【発明の詳細な説明】
【０００１】
【発明の属する技術分野】
本発明は、容器の頭部に突設された吐出パイプに基端部で嵌着する流路部が内部に形成され、また周面部には浸潤対象物に内容液を直接又は針等で浸潤させる噴射口を備え、押下げ操作されると、浸潤対象物に内容液が噴射口から噴射されるようになった浸潤用噴射ボタンに関するものである。
【０００２】
【従来の技術】
この種の浸潤用噴射ボタンとしては、実開平１−１６７３６４号公報により、ダニ退治用の針を刺針する畳及び芳香剤を吸蔵するフェルト等を浸潤対象物として、これらのいずれか一方の浸潤噴射又は通常の気中噴射を選択的に行う切換式のエアゾール噴射装置が周知である。
【０００３】
【発明が解決しようとする課題】
これにより、内容液を気中に噴射することなく、浸潤対象物に浸潤させることができるが、浸潤噴射時に実際に浸潤対象物に対して噴射が行われているか否か視認できない問題がある。また、芳香剤又は消臭剤等を浸潤対象物となる吸蔵体に吸蔵させる場合に、同時に気中に揮発させたい場合もある。
【０００４】
本発明は、このような点に鑑みて、浸潤噴射時に同時に気中にも噴射し得る浸潤用噴射ボタンを提供することを目的とする。
【０００５】
【課題を解決するための手段】
本発明は、この目的を達成するために、請求項１により、容器の頭部に突設された吐出パイプに基端部で嵌着する流路部が内部に形成され、また周面部には浸潤対象物に内容液を浸潤させる噴射口を備え、押下げ操作されると、浸潤対象物に内容液が噴射口から噴射されるようになった浸潤用噴射ボタンにおいて、浸潤用噴射口の上側に、この浸潤用噴射口に連通する流路から分岐した流路に連通し、かつ気中に噴射する噴霧用噴射口を備えたことを特徴とする。
【０００６】
噴射ボタンが押下げ操作されると、浸潤用噴射口から吸蔵体、畳等の浸潤対象物に噴射されるのと同時に噴霧用噴射口から気中にも噴射される。これにより、噴射状態が気中でモニタ可能となると共に、内部浸潤だけでなく同時に噴霧も可能になる。
【０００７】
【発明の実施の形態】
図１乃至図３を基に本発明の実施の形態の一例によるエアゾール容器用の浸潤用噴射ボタンを説明する。この噴射ボタンは、エアゾール容器１の頭部の目金蓋４及びその上側に取付けられたマウンティングカップ２に装着されるもので、周面の収納溝１３に噴口部材２０が嵌入され、かつ縦方向の中心流路部１１の基端部の嵌着部１１ａでバルブステム３に嵌着して、押下げ操作されるボタン部１０と、エアゾール容器１の頭部の周囲及びボタン部１０の両側をカバーするカバーキャップ１５とより構成され、インテグラルヒンジ部２８ａを介して連結片２８で揺動可能にボタン部１０を連結させている。
【０００８】
カバーキャップ１５は、周面部１６の下端の突起部１６ａで目金蓋４の巻締め部４ａに係合し、また前方が切欠かれた内筒状のリブ面１６ｂでマウンティングカップ２の巻締め部２ａに係合している。さらに、周面部１６の両側で上昇した外周面１７ａ及び上面視で方形状のボタン部１０に沿った平坦面状の内周面１７ｂにより、ボタン部１０の両側をカバーする両側の壁部１７を備えている。
【０００９】
噴口部材２０の背後には嵌合筒部２２が突設され、その周囲に形成された突起部２１で収納溝１３の凹部に係止されると共に、嵌合筒部２２内に、ボタン部１０に一体成形されたポスト１４が、噴口部材２０の正面部２６の中心部に向けて侵入することにより、その周囲に中心流路部１１に連通する横方向流路１３ａが形成されている。
【００１０】
正面部２６の上下方向の中間位置には、図２に示すように、ポスト１４の先端面１４ａの中間位置に対応して遮蔽板２５が突設され、その下側領域には前方向きの浸潤用噴射口２３及び傾斜した上側領域には斜め上向きの噴霧用噴射口２４が形成されている。これらの噴射口２３、２４には、正面部２６の背面及びポスト１４の先端面１４ａ間の流路１３ｂが上下に分岐して連通している。噴霧用噴射口２４は、浸潤用噴射口２３に対して噴射量を小さくするように、口径を相対的に小さく設定されている。
【００１１】
カバーキャップ１５の前部の周面部１６の内側には、例えばフェルト片である吸蔵体２７を収納するように、上面が開口し、かつ前面が円弧面の略直方体状の収納部１９が形成されている。その上面は遮蔽板２５の底面と略同一高さに設定され、浸潤用噴射口２３に対面する背面上部は、上面と共に収納部１９から露出されている。
【００１２】
このように構成された浸潤用噴射ボタンの動作は次の通りである。ボタン部１０はその上面が押下げ操作されると、収納部１９の背面に形成されたインテグラルヒンジ部２８ａを支点として揺動し、エアゾール容器１の芳香剤、消臭剤等の内容液が中心流路部１１から横方向流路１３ａに侵入し環状に拡散し、流路１３ｂに流入する。
【００１３】
これにより、内溶液は、流路１３ｂで分岐して浸潤用噴射口２３からは遮蔽板２５で気中への噴射が遮蔽された状態で、吸蔵体２７へ噴射されて浸潤吸蔵される。同時に噴霧用噴射口２４にも分岐して気中へも噴射され、直ちに噴霧効果が得られると共に、その気中噴射により吸蔵体２７へも噴射ボタン内部の異常無しで噴射されているのが確認できる。吸蔵体２７に吸蔵された内容液は、収納部１９の上面及び背面上部の開口領域から長時間にわたり揮発される。
【００１４】
尚、浸潤用噴射口は、フェルト片に吸蔵体に対して細隙を置くことなく、収納部に分岐流路部を直結させるようにも構成できる。噴霧用噴射口の口径は、場合により、浸潤用噴射口に対して敢えて小さくしなくても良い。本発明の噴射ボタンは、容器の頭部に突設されたポンプの吐出パイプとしての吸出しパイプにも装着可能である。
【００１５】
図４及び図５は浸潤対象物を例えば畳とする別の実施の形態による針式の浸潤用噴射ボタンであり、前述のものと同一もしくは同等部分は同一符号で説明する。噴射ボタンは、エアゾール容器１ａの頭部のマウンティングカップ２から突出するバルブステム３に基端部の嵌着部１１ａで嵌着する中心流路部１１が内部に形成されたボタン部１０ａに、その周面の収納溝１３で図５に示す噴口部材３０を嵌入して構成されている。
【００１６】
ボタン部１０ａの正面部２６の下側領域の浸潤用噴射口２３ａの周囲に筒状のプラグ３５が突設されることにより、針３７の基端部の差込部３８を係合させる。傾斜した上側領域には、口径を相対的に大幅に小さく設定された斜め上向きの噴霧用噴射口２４ａが形成されている。
【００１７】
針３７を畳に刺針してエアゾール容器１ａを持上げることにより、相対的に押下げ操作すると、畳にダニ退治用等の殺虫液が浸潤される。その際、微量の内容液が上側の噴霧用噴射口２４ａから噴霧されることにより、同時に針３７からも噴射されているのがモニタされる。
【００１８】
【発明の効果】
本発明によれば、浸潤対象物に内容液を浸潤させる際に気中にも噴射させることにより浸潤噴射の状態が確認できる。また、芳香剤、消臭剤等を吸蔵片に浸潤させる際に、同時に気中に揮発させることもできる。
【図面の簡単な説明】
【図１】本発明の実施の形態による浸潤用噴射ボタンの断面図である。
【図２】同噴射ボタンの噴口部材の斜視図である。
【図３】同噴射ボタンの正面図である。
【図４】別の実施の形態による浸潤用噴射ボタンの断面図である。
【図５】図４による浸潤用噴射ボタンの噴口部材の斜視図である。
【符号の説明】
１、１ａ　エアゾール容器
３　バルブステム
１０、１０ａ　ボタン部
１５　カバーキャップ
２０、３０　噴口部材
２３、２３ａ　浸潤用噴射口
２４、２４ａ　噴霧用噴射口
２７　吸蔵体
３７　針
【図１】
2004016833.tif 000003
【図２】
2004016833.tif 000004
【図３】
2004016833.tif 000005
【図４】
2004016833.tif 000006
【図５】
2004016833.tif 000007